【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
光ネットワークにおけるファイバスパンの波長分散を判定および報告する方法であって、
前記ファイバスパンを介して光信号が伝搬されてくる分散補償素子の入口側である第１の接続点（３３５，６２０）において光信号にアクセスする工程（９１０）であって、この光信号へのアクセスは、ネットワークノードにおいて光信号が増幅されるよりも前になされる、工程（９１０）と、
前記光信号の位相差または時間差を判定する工程と、
前記光信号の前記位相差または前記時間差に基づき前記ファイバスパンの波長分散を判定する工程と、
前記光ネットワークに接続された、上流ノード、下流ノード、素子管理システム、サービスプロバイダ、またはサーバに、前記波長分散に関する情報を報告する工程とを備えた、波長分散判定方法。
【請求項２】
請求項１において、前記光信号が光テスト信号であり、
前記光テスト信号にアクセスする工程が、前記ファイバスパンの波長分散を判定する前に前記光テスト信号の少なくとも一部を他の信号から分離する工程を有する、波長分散判定方法。
【請求項３】
請求項１において、前記光信号が光テスト信号であり、
前記光テスト信号にアクセスする工程が、
この光テスト信号以外の他の光信号が存在する場合、前記光テスト信号の一定割合を前記他の光信号と共に取り出す工程と、
この光テスト信号以外の他の光信号が存在する場合、前記光テスト信号を前記他の光信号から分離する工程とを有する、波長分散判定方法。
【請求項４】
請求項１において、前記光信号の位相差または時間差を判定する工程が、前記ファイバスパンの順方向において異なる波長の２つの光信号間の時間差を検知する工程を有する、波長分散判定方法。
【請求項５】
請求項１において、前記波長分散を判定する工程が、分散補償素子が存在する状態において波長分散を判定する工程を有する、波長分散判定方法。
【請求項６】
請求項１において、前記波長分散を判定する工程が、分散補償素子が存在しない状態において前記波長分散を判定する工程を有する、波長分散判定方法。
【請求項７】
請求項１において、前記波長分散を判定する工程が、さらに、
前記ファイバスパンの長さを判定する工程と、
この長さに基づき前記波長分散を算出する工程とを有する、波長分散判定方法。
【請求項８】
請求項１において、前記波長分散を判定する工程が、さらに、
前記ファイバスパンの長さを判定する工程と、
この長さとファイバ種類とに基づき前記波長分散を算出する工程とを有する、波長分散判定方法。
【請求項９】
請求項１において、さらに、
前記波長分散に基づき前記分散補償素子を設定する工程を備えた、波長分散判定方法。
【請求項１０】
請求項９において、前記分散補償素子を設定する工程が、前記波長分散補償素子を調整する工程を有する、波長分散判定方法。
【請求項１１】
請求項１０において、前記分散補償素子を調整する工程が、所定値、格納値、計算値、命令、およびイベントのうちの少なくとも１つに基づき、前記分散補償素子を調整する工程を有する、波長分散判定方法。
【請求項１２】
請求項１において、前記光信号にアクセスする工程が、
光ネットワークノードで光信号を増幅するよりも前に、前記分散補償素子で光信号を受信した後に光信号にアクセスする工程を有する、波長分散判定方法。
【請求項１３】
請求項１において、さらに、
前記分散補償素子の挿入損失と前記ファイバスパンの挿入損失の関数として前記光増幅器のゲインを調節する工程を備えた、波長分散判定方法。
【請求項１４】
請求項１２において、前記光信号は光テスト信号であり、前記光テスト信号にアクセスする工程が、分散補償素子の挿入損失を判定する前に、前記光テスト信号の少なくとも一部を他の光信号から分離する工程を有する、波長分散判定方法。
【請求項１５】
請求項１４において、前記分散補償素子の挿入損失を判定する工程が、さらに、ユーザ信号が前記ファイバスパン上にない期間に、前記フィルタリングされた光テスト信号の漏れパワーを測定する工程を有する、波長分散判定方法。
【請求項１６】
請求項１５において、前記光増幅器のゲインを調節する工程が、前記漏れパワーの関数として前記ゲインを調節する工程を有する、波長分散判定方法。
【請求項１７】
請求項１５において、前記漏れパワーを測定する工程が、前記出口側の接続点おける前記漏れパワーを測定する工程を有する、波長分散判定方法。
【請求項１８】
光ネットワークにおけるファイバスパンの波長分散を判定および報告する装置であって、
光信号（２０５）を搬送するファイバスパン（２１０，３２０）の出口側に、光ネットワークノード（２００，３００，６００）における分散補償素子（２３５，３３０）を結合させる第１の接続点（３３５，６２０）と、
前記光ネットワークノード（２００，３００，６００）における光増幅器（２４０，３６５，６７０）に、前記分散補償素子を結合させる第２の接続点（３４０，６１５）と、
前記光ネットワークノードで光信号の増幅よりも前に光信号にアクセスするように、前記ファイバスパンの出口側に結合されたアクセスユニット（２１５，３１０）と、
前記光信号の位相差または時間差を判定する、差の判定ユニットと、
前記光信号の前記位相差または前記時間差に基づいて前記ファイバスパンの波長分散を判定する、波長分散判定ユニット（２２５，３１０）と、
前記光ネットワークに接続された、上流ノード、下流ノード、素子管理システム、サービスプロバイダ、またはサーバに、前記波長分散に関する情報を報告する報告ユニット（２２５）とを備えた、波長分散判定装置。
【請求項１９】
請求項１８において、前記光信号は光テスト信号であり、
前記アクセスユニットは、前記波長分散判定ユニット（２２５，３１０）が前記ファイバスパンの波長分散を判定する前に、前記光テスト信号の少なくとも一部を他の信号から分離する、波長分散判定装置。
【請求項２０】
請求項１８において、前記光信号は光テスト信号であり、
前記アクセスユニットは、さらに、
この光テスト信号以外の他の光信号が存在する場合、前記光テスト信号の一定割合を前記他の光信号と共に取り出し、
この光テスト信号以外の他の光信号が存在する場合、前記光テスト信号を前記他の光信号から分離する、波長分散判定装置。
【請求項２１】
請求項１８において、前記波長分散判定ユニット（２２５，３１０）は、分散補償素子が存在する状態において波長分散を判定する、波長分散判定装置。
【請求項２２】
請求項１８において、前記波長分散判定ユニット（２２５，３１０）は、分散補償素子が存在しない状態において波長分散を判定する、波長分散判定装置。
【請求項２３】
請求項１８において、前記波長分散判定ユニット（２２５，３１０）は、さらに、前記ファイバスパンの長さを判定し、前記長さに基づき前記波長分散を算出する、波長分散判定装置。
【請求項２４】
請求項１８において、前記波長分散判定ユニット（２２５，３１０）は、さらに、前記ファイバスパンの長さを判定し、前記長さとファイバ種類とに基づき前記波長分散を算出する、波長分散判定装置。
【請求項２５】
請求項１８において、さらに、
前記波長分散に基づき前記分散補償素子を設定するように、補償プロセッサ（２４５，３１５）を備える、波長分散判定装置。
【請求項２６】
請求項２５において、前記補償プロセッサが、所定値、格納値、計算値、命令、およびイベントのうちの少なくとも１つに基づき前記分散補償素子を調整する、波長分散判定装置。
【請求項２７】
請求項２５において、前記補償プロセッサが前記分散補償素子を調整する、波長分散判定装置。
【請求項２８】
請求項１８において、
前記アクセスユニット（３１０）は、さらに、前記光ネットワークノードで光信号の増幅よりも前に、前記分散補償素子（６２５）で光信号を受信した後に光信号にアクセスする、波長分散判定装置。
【請求項２９】
請求項２８において、前記波長分散判定ユニット（２２５，３１０）は、前記ファイバスパンの挿入損失を判定し、前記分散補償素子の挿入損失と前記ファイバスパンの挿入損失の関数として前記光増幅器のゲインを調節する、波長分散判定装置。
【請求項３０】
請求項２８において、前記光信号は光テスト信号であり、前記アクセスユニットは、さらに、分散補償素子の挿入損失を判定する前に、前記光テスト信号の少なくとも一部を他の光信号から分離する、波長分散判定装置。
【請求項３１】
請求項３０において、前記波長分散判定ユニット（２２５，３１０）は、ユーザ信号が前記ファイバスパン上にない期間に、前記フィルタリングされた光テスト信号の漏れパワーを測定する、波長分散判定装置。
【請求項３２】
請求項３１において、前記波長分散判定ユニット（２２５，３１０）は、前記漏れパワーの関数として前記光増幅器のゲインを調節する、波長分散判定装置。
【請求項３３】
請求項３１において、前記波長分散判定ユニット（２２５，３１０）は、前記第２の接続点における前記漏れパワーを測定する、波長分散判定装置。
【請求項３４】
請求項１において、前記光信号にアクセスする工程が、
前記分散補償素子で光信号を受信するよりも前に光信号にアクセスする工程を有する、波長分散判定方法。
【請求項３５】
請求項１において、前記光信号にアクセスする工程が、
前記分散補償素子で光信号を受信した後に光信号に光信号にアクセスする工程を有する、波長分散判定方法。
【請求項３６】
請求項１８において、前記アクセスユニットが、さらに、
前記分散補償素子で光信号を受信するよりも前に光信号にアクセスする、波長分散判定装置。
【請求項３７】
請求項１８において、前記アクセスユニットが、さらに、
前記分散補償素子で光信号を受信した後に光信号にアクセスする、波長分散判定装置。
【請求項３８】
請求項１において、前記分散補償素子の入口側である接続点（３３５，６２０）において光信号にアクセスする工程が、前記分散補償素子の入口側である第１の接続点（３３５，６２０）において光信号にアクセスする工程であって、この光信号へのアクセスは、光ネットワークノード（２００，３００，６００）において、前記分散補償素子に第２の接続点（３４０，６１５）で結合される光増幅器（２４０，３６５，６７０）によって光信号が増幅されるよりも前になされる、工程（９１０）を有し、
さらに、
光信号を増幅するよりも前に、前記分散補償素子の出口側である前記第２の接続点における前記光信号にアクセスする工程と、
前記入口側である前記第１の接続点における前記光信号の第１パワーレベルを判定する工程と、
前記出口側である前記第２の接続点における第２パワーレベルを判定する工程と、
前記光ネットワークに接続された、上流ノード、下流ノード、素子管理システム、サービスプロバイダ、またはサーバに、前記第１パワーレベルと前記第２パワーレベルとの差に基づいた分散補償素子の挿入損失に関する情報を報告する工程（９４５）とを備えた、波長分散判定方法。
【請求項３９】
請求項１８において、さらに、
前記第１の接続点における前記光信号の第１パワーレベルと、前記第２の接続点における第２パワーレベルとを判定する、パワーレベル判定ユニット（２２０，３１０）を備え、
前記報告ユニット（２２５）は、さらに、前記光ネットワークに接続された、上流ノード、下流ノード、素子管理システム、サービスプロバイダ、またはサーバに、前記第１パワーレベルと前記第２パワーレベルとの差に基づき前記分散補償素子の挿入損失に関する情報を報告する、波長分散判定装置。